(57)【要約】【課題】本発明は、電池蓋が取り付けられる電子機器側にパッキンを取り付ける構成とし、パッキンの取り付け時に、捩れなどによって正規の位置からずれる状態とならないための技術を提供する。【解決手段】電子機器の本体側と電池蓋との間が円形状のパッキンによってシールされる電池収納部のシール装置において、パッキンは弾力性を有し、円形状のシール部とシール部から下方へ延びた複数の取り付け脚部が形成され、電池収納部の周縁部には、シール部が配置される円形状の配置部、及び電池収納部から配置部へ連通するよう取り付け脚部の挿入溝が形成され、取り付け脚部は非円形形状をなし、挿入溝の溝幅が取り付け脚部の非円形形状部と嵌り合う寸法をなすこと。【選択図】図２
2011154877.tif 000002
【特許請求の範囲】
【請求項１】
電源として用いられるボタン型電池が収納される電池収納部が電子機器の本体側に形成
され、前記電池収納部に着脱自在に取り付けられる電池蓋を備え、前記電子機器の本体側
と前記電池蓋との間が円形状のパッキンによってシールされる電池収納部のシール装置に
おいて、
前記パッキンは、弾力性を有し、円形状のシール部と前記シール部から下方へ延びた複
数の取り付け脚部が間隔を存して形成され、
前記電池収納部の周縁部には、前記シール部が配置される円形状の配置部、及び前記電
池収納部から前記配置部へ連通するよう前記取り付け脚部の挿入溝が形成され、
前記取り付け脚部は、非円形形状をなし、
前記挿入溝の溝幅が、前記取り付け脚部の前記非円形形状部と嵌り合う寸法をなす
ことを特徴とする電池収納部のシール装置。
【請求項２】
電源として用いられるボタン型電池が収納される電池収納部が電子機器の本体側に形成
され、前記電池収納部に着脱自在に取り付けられる電池蓋を備え、前記電子機器の本体側
と前記電池蓋との間が円形状のパッキンによってシールされる電池収納部のシール装置に
おいて、
前記パッキンは、弾力性を有し、円形状のシール部と前記シール部から下方へ延びた複
数の取り付け脚部が間隔を存して形成され、
前記電池蓋と前記電池収納部の周縁部には、前記電池蓋の正方向回動に伴って相互に係
止し逆方向回動に伴って離脱するよう複数の蓋側係止突起と本体側係止突起が間隔を存し
て形成され、
前記電池収納部の周縁部には、前記シール部の下部が収容される円形状溝をなす配置部
、及び前記本体側係止突起間に前記電池収納部から前記配置部へ連通するよう前記取り付
け脚部の挿入溝が形成され、
前記取り付け脚部は、非円形形状をなし、
前記挿入溝の溝幅が、前記取り付け脚部の前記非円形形状部と嵌り合う寸法をなす
ことを特徴とする電池収納部のシール装置。
【請求項３】
前記パッキンは、弾力性を有するシリコンゴム等の製品であって、前記シール部は前記
電池蓋に向かって尖った円周面を形成したことを特徴とする請求項１または２に記載の電
池収納部のシール装置。
【発明の詳細な説明】
【技術分野】
【０００１】
本発明は、ボタン型電池を使用する電子機器における電池収納部のシール装置に関する
。
【背景技術】
【０００２】
電子機器にボタン型電池を使用する際、この電池は、電子機器に形成した電池収納部に
収納された状態で、電子機器に電池蓋が取り付けられるが、この場合、電子機器と電池蓋
との間がパッキンによって水密的に保たれることにより、電池収納部が防水構造となるも
のがある（特許文献１参照）。
【先行技術文献】
【特許文献】
【０００３】
【特許文献１】特開平１１−２７３６４８号公報
【発明の概要】
【発明が解決しようとする課題】
【０００４】
そもそも、このような電子機器と電池蓋との間に用いられるパッキンは、この部分で電
子機器全体の厚さが増すことがないように、パッキンの厚さが制限される。特許文献１の
ものは、電池蓋の裏側周縁に形成した外向きの溝に、パッキンの基部が挿入された状態で
、電池蓋の裏側周縁に亘って取り付けられた状態であるため、パッキンをかなり引っ張り
ながら、電池蓋の外向きの溝にパッキンの基部を挿入した後、電池蓋の裏側周縁に接着す
ることとなろうから、パッキンが十分な伸張性と復元性を有するものでなければならない
。その場合、上記のように、パッキンの厚さが制限されることから、その材質が特定され
ると共に、取り付け作業の面倒さが伴う。
【０００５】
このような点に鑑み、本発明は、電池蓋が取り付けられる電子機器側にパッキンを取り
付ける構成とすることにより、特許文献１のような課題を解決する。そして、パッキンを
接着によらない取り付けとし、その場合、パッキンの取り付け時に、正規の位置からずれ
る状態とならないための技術を提供するものである。
【課題を解決するための手段】
【０００６】
第１発明は、電源として用いられるボタン型電池が収納される電池収納部が電子機器の
本体側に形成され、前記電池収納部に着脱自在に取り付けられる電池蓋を備え、前記電子
機器の本体側と前記電池蓋との間が円形状のパッキンによってシールされる電池収納部の
シール装置において、
前記パッキンは、柔軟性と弾力性を有し、円形状のシール部と前記シール部から下方へ
延びた複数の取り付け脚部が間隔を存して形成され、
前記電池収納部の周縁部には、前記シール部が配置される円形状の配置部、及び前記電
池収納部から前記配置部へ連通するよう前記取り付け脚部の挿入溝が形成され、
前記取り付け脚部は、非円形形状をなし、
前記挿入溝の溝幅が、前記取り付け脚部の前記非円形形状部と嵌り合う寸法をなす
ことを特徴とする。
【０００７】
第２発明は、電源として用いられるボタン型電池が収納される電池収納部が電子機器の
本体側に形成され、前記電池収納部に着脱自在に取り付けられる電池蓋を備え、前記電子
機器の本体側と前記電池蓋との間が円形状のパッキンによってシールされる電池収納部の
シール装置において、
前記パッキンは、柔軟性と弾力性を有し、円形状のシール部と前記シール部から下方へ
延びた複数の取り付け脚部が間隔を存して形成され、
前記電池蓋と前記電池収納部の周縁部には、前記電池蓋の正方向回動に伴って相互に係
止し逆方向回動に伴って離脱するよう複数の蓋側係止突起と本体側係止突起が間隔を存し
て形成され、
前記電池収納部の周縁部には、前記シール部の下部が収容される円形状溝をなす配置部
、及び前記本体側係止突起間に前記電池収納部から前記配置部へ連通するよう前記取り付
け脚部の挿入溝が形成され、
前記取り付け脚部は、非円形形状をなし、
前記挿入溝の溝幅が、前記取り付け脚部の前記非円形形状部と嵌り合う寸法をなす
ことを特徴とする。
【０００８】
第３発明は、第１発明または第２発明において、前記パッキンは、柔軟性と弾力性を有
するシリコンゴム等の製品であって、前記シール部は前記電池蓋に向かって尖った円周面
を形成したことを特徴とする。
【発明の効果】
【０００９】
パッキンを接着によらない取り付けとする場合、もし、取り付け脚部の横断面形状が円
形の場合は、各取り付け脚部を順々に挿入溝に嵌め込んでいく場合に捩れが生じ、取り付
け脚部間の円形状のシール部の一部に弛みや引っ張りが生じて、このシール部の一部が配
置部の正規位置に配置されない状態となる。
しかし、本発明のパッキンは、円形状のシール部とこのシール部から下方へ延びた複数
の取り付け脚部を有し、この取り付け脚部が非円形形状であり、この取り付け脚部が挿入
される挿入溝の溝幅が、取り付け脚部の非円形形状部と嵌り合う寸法をなす。
このため、本発明では、各取り付け脚部は、対応する挿入溝に嵌め込まれる方向が定ま
るため、このような捩れが生じず、パッキンの取り付け時に、円形状のシール部が配置部
の正規位置からずれる状態とならず、電池蓋と電池収納部との間の防水効果が良好となる
。
【００１０】
第２発明の構成では、電池収納部の周縁部に、本体側係止突起、及びシール部の下部が
収容される円形状溝をなす配置部が形成され、更に、本体側係止突起間に電池収納部から
配置部へ連通するよう取り付け脚部の挿入溝が形成されている。これにより、パッキンの
取り付け及び配置が的確となり、電池蓋と電池収納部との間の防水効果が良好となる。
【００１１】
また、パッキン１０は、柔軟性と弾力性を有するシリコンゴム等の製品であって、シー
ル部は電池蓋に向かって尖った円周面を形成しているため、電池蓋との当接が線接触状態
となり、電池蓋と電池収納部との間の防水効果が良好となる。
【図面の簡単な説明】
【００１２】
【図１】本発明に係る電気機器の裏側斜視図である。
【図２】本発明に係る電気機器の電池収納部を説明する断面図である。
【図３】本発明に係る電気機器の電池収納部の表側から見た分解斜視図である。
【図４】本発明に係る電気機器の電池収納部の裏側から見た斜視図である。
【図５】本発明に係るパッキンの斜視図である。
【図６】本発明に係るパッキンの取り付け脚部と挿入溝部分の斜視図である。
【図７】本発明に係るパッキンの取り付け状態を示す斜視図である。
【図８】本発明に係るパッキンの取り付け状態を示す取り付け脚部の部分の断面図である。
【図９】本発明に係るパッキンの取り付け状態を示すシール部の部分の断面図である。
【図１０】本発明に係る第２形態のパッキンの取り付け脚部の部分を拡大して示す平面図である。
【図１１】本発明に係る第２形態のパッキンの取り付け脚部が嵌り合う挿入溝部分の斜視図である。
【発明を実施するための形態】
【００１３】
本発明は、電源として用いられるボタン型電池が収納される電池収納部が電子機器１の
本体側２に形成され、前記電池収納部に着脱自在に取り付けられる電池蓋を備え、前記電
子機器の本体側と前記電池蓋との間が円形状のパッキンによってシールされる電池収納部
のシール装置において、
前記パッキンは、柔軟性と弾力性を有し、円形状のシール部と前記シール部から下方へ
延びた複数の取り付け脚部が間隔を存して形成され、
前記電池収納部の周縁部には、前記シール部が配置される円形状の配置部、及び前記電
池収納部から前記配置部へ連通するよう前記取り付け脚部の挿入溝が形成され、
前記取り付け脚部は、非円形形状をなし、
前記挿入溝の溝幅が、前記取り付け脚部の前記非円形形状部と嵌り合う寸法をなす
ものである。
【実施例１】
【００１４】
先ず、本発明に係る電子機器１を図に基づき説明する。電子機器１は、非接触ＩＣカー
ド等のようなカード形態であったり、他の機器と無線によって情報交換する携帯端末機器
であったり、種々のタイプがある。カードのような薄い電子機器１において本発明の効果
が十分発揮できることを説明するために、図に示す実施例の電子機器１は、非接触ＩＣカ
ード等のようなカード形態である場合について記載する。
【００１５】
電子機器１は、変形し難い矩形状形態をなすように合成樹脂成形された本体側２を構成
する外装ケース２に、電子部品が取り付けられ所定の電気配線が形成されたプリント配線
基板３と、外装ケース２の裏側からプリント配線基板３に向かって電池収納部４が貫通形
成され、この電池収納部４に電子機器１の電源用である円板状のボタン型の電池６等が収
容され、外装ケース２の裏側から電池収納部４に着脱自在に合成樹脂成形された電池蓋５
が取り付けられている。
【００１６】
プリント配線基板３は、周縁部が外装ケース２の段差部に接着され、表側が外装ケース
２の段差部に接着されたカバー７によって覆われる。電池６とプリント配線基板３との電
気的接続は、電池６が電池収納部４に収容された状態で、電池６のプラス電極側はプリン
ト配線基板３の取り付けた導電性の板バネ８と接触し、電池６のマイナス電極側は、電池
６とプリント配線基板３との間に介在した導電性の板バネ９と接触することによって達成
される。
【００１７】
電子機器１の本体側２である外装ケース２と電池蓋５との間の隙間は、円形状のパッキ
ン１０によってシールされ、この部分が防水構造となっている。パッキン１０は、柔軟性
と弾力性を有するシリコンゴム等の製品であり、円形状のシール部１１と、シール部１１
から下方へ延びた複数の取り付け脚部１２が間隔を存して形成されている。
【００１８】
電池収納部４の周縁部には全周にわたってフランジ１３が形成され、このフランジ１３
の上面（外装ケース２の裏側面）が、パッキン１０の配置部１４をなしており、配置部１
４には、シール部１１が配置される。配置部１４は、シール部１１の下部が収容されるた
めの円形状の溝１４Ａによって形成されている。
【００１９】
パッキン１０は、そのシール部１１が、電池蓋５との接触面が電池蓋５に向かって尖っ
た円周面１１Ａを形成すると共に、取り付け脚部１２は、シール部１１から下方へ延び、
その先端には抜け止め用の鍔部１２Ａが形成されている。また、フランジ１３には、電池
収納部４から配置部１４の溝１４Ａへ連通する方向へ長く、取り付け脚部１２が挿入され
る挿入溝１５が形成されている。
【００２０】
本発明では、取り付け脚部１２は非円形形状をなし、挿入溝１５の溝幅が、取り付け脚
部１２の非円形形状部と嵌り合う寸法をなす構成である。
【００２１】
また、取り付け脚部１２が非円形形状をなす第１の形態として、取り付け脚部１２は、
図７に示すように、上下２段に形成され、シール部１１に近い側がシール部１１の半径方
向Ｙに交差するようにシール部１１の内側に沿って長い横長形状脚部１２Ｘをなし、鍔部
１２Ａに近い側が円形状脚部１２Ｙをなす。そして、挿入溝１５の形状も、この取り付け
脚部１２に合わせるように上下２段に形成され、横長形状脚部１２Ｘの長辺が嵌り合う幅
Ｔ１に形成した１段目の溝１５Ａと、円形状脚部１２Ｙが嵌り合う幅に形成した２段目の
溝１５Ｂとを形成している。
【００２２】
この取り付け脚部１２が非円形形状をなす第１の形態では、パッキン１０は、後述の取
り付けによって、図７に示すように、シール部１１が円形状の溝１４Ａに嵌り合い、取り
付け脚部１２は、横長形状脚部１２Ｘの長辺が１段目の溝１５Ａに嵌り合い、且つ円形状
脚部１２Ｙが２段目の溝１５Ｂに嵌り合う状態に、フランジ１３に取り付けられる。
【００２３】
また、取り付け脚部１２が非円形形状をなす第２の形態として、取り付け脚部１２は、
図１０及び図１１に示すように、横断面形状がシール部１１の半径方向Ｙに長い長円形状
または矩形状をなし、図１１に示す挿入溝１５の溝幅Ｔ２が、取り付け脚部１２の長円形
状の短径または矩形状の短辺１２Ｐと嵌り合う寸法をなす構成とする。この場合、取り付
け脚部１２の長円形状の長径または矩形状の長辺１２Ｑが、挿入溝１５の溝幅Ｔ２よりも
十分大きい寸法とすることによって、長径または長辺１２Ｑが挿入溝１５に嵌ることがな
く、取り付け脚部１２の短径または短辺１２Ｐが正確に挿入溝１５に嵌り合う状態となる
。
【００２４】
電池蓋５を電池収納部４に着脱自在に取り付ける構成は種々あるが、本発明では、電池
蓋５が電池収納部４にしっかりと固定されるようにするために、電池蓋５と電池収納部４
の周縁部には、電池蓋５の正方向回動に伴って相互に係止し逆方向回動に伴って離脱する
よう、複数の蓋側係止突起１６と本体側係止突起１７が、それぞれ間隔を存して形成され
ている。電池蓋５が外装ケース２へ安定的に取り付けられるようにするために、図示のも
のは、蓋側係止突起１６が、電池蓋５の裏側に直径Ｄ１で形成した円周凸部５Ｐから半径
方向に延出形成され、本体側係止突起１７は、外装ケース２の電池収納部４の周縁のフラ
ンジ１３に形成され、各蓋側係止突起１６と各本体側係止突起１７は、それぞれ１２０度
間隔を存して形成されている。
【００２５】
このため、電池蓋５に１２０度ピッチで形成した蓋側係止突起１６を、電池収納部４の
周縁部に１２０度ピッチに形成した案内切り欠き１８に一致させ、その状態から電池蓋５
の表面に形成した弧状溝５Ａにコインをあてがって、電池蓋５を正方向へ回動させること
により、蓋側係止突起１６が本体側係止突起１７に係止して、電池蓋５が外装ケース２に
取り付けられる。また、この状態から、電池蓋５を逆方向へ回動させて、蓋側係止突起１
６が本体側係止突起１７から外れた状態で、電池蓋５を外装ケース２から取り外すことが
できる。
【００２６】
このような構成において、外装ケース２にプリント配線基板３が取り付けられた状態で
、パッキン１０を配置部１４に取り付ける。この取り付けは、取り付け脚部１２の一つを
挿入溝１５の一つに挿入しつつ、その近辺のシール部１１の部分を円形状の溝１４Ａに収
納する関係でもって、順次残りの取り付け脚部１２を挿入溝１５に挿入すると共に、その
近辺のシール部１１の部分を円形状の溝１４Ａに収納することにより、すべての取り付け
脚部１２が挿入溝１５に挿入され、シール部１１全体が円形状の溝１４Ａに収納され、パ
ッキン１０の取り付けが終了する。
【００２７】
この取り付け作業において、上記のように、取り付け脚部１２は非円形形状をなし、挿
入溝１５の溝幅Ｔ１が、取り付け脚部１２の非円形形状部と嵌り合う寸法をなす構成であ
るため、上記第１の形態では、パッキン１０は、図７に示すように、シール部１１が円形
状の溝１４Ａに嵌り合い、取り付け脚部１２は、横長形状脚部１２Ｘの長辺が１段目の溝
１５Ａの溝幅Ｔ１に嵌り合い、且つ円形状脚部１２Ｙが２段目の溝１５Ｂに嵌り合う状態
に、フランジ１３に取り付けられる。これによって、取り付け脚部１２が挿入溝１５に捩
れた状態で挿入されることがなく、取り付け脚部１２相互間において、シール部１１が伸
張しり、シール部１１が捩れたりすることがなく、シール部１１が正規の状態で円形状の
溝１４Ａに収納されることとなる。
【００２８】
また、上記第２の形態では、取り付け脚部１２の長円形状の短径または矩形状の短辺１
２Ｐが、挿入溝１５の溝幅Ｔ２と嵌り合う方向に挿入されるため、取り付け脚部１２が挿
入溝１５に捩れた状態で挿入されることがなく、取り付け脚部１２相互間において、シー
ル部１１が伸張しり、シール部１１が捩れたりすることがなく、シール部１１が正規の状
態で円形状の溝１４Ａに収納されることとなる。
【００２９】
このような取り付けによって、シール部１１は、尖った円周面１１Ａが円形状の溝１４
Ａから露出した状態に、その下部が円形状の溝１４Ａに収容された状態となる。そして、
鍔部１２Ａがフランジ１３の下面に当接して抜け止め状態となり、シール部１１を円形状
の溝１４Ａに安定的に保持した状態となる。
【００３０】
このようにパッキン１０を取り付けた状態で、板バネ８と板バネ９に接触する状態に電
池６を電池収納部４に収容する。そして、電池蓋５の蓋側係止突起１６を、電池収納部４
の案内切り欠き１８に一致させる状態に、電池蓋５を電池収納部４に臨ませる。このとき
、電池蓋５の裏側に形成した円周凸部５Ｐで囲まれた直径Ｄ１の凹部は、電池６の最大直
径Ｄ２の部分が収容される状態となる。その状態から電池蓋５の表面に形成した弧状溝５
Ａにコインをあてがって、電池蓋５を正方向へ回動させることにより、電池蓋５がシール
部１１の尖った円周面１１Ａに当接しつつ、蓋側係止突起１６が本体側係止突起１７に係
止して、電池蓋５の裏面にシール部１１が全周で密着し、電池蓋５が外装ケース２に保持
される。
【００３１】
図示のものは、電池６の厚さが略１．６ｍｍ、電池蓋５は厚さｔ２が略０．５ｍｍであ
り、電池蓋５の裏側に形成した直径Ｄ１の凹部周囲の円周凸部５Ｐを含む厚さが略１．８
ｍｍである。また、パッキン１０のシール部１１の厚さが略１ｍｍであり、溝１４Ａの深
さが略０．６ｍｍであり、シール部１１の尖った円周面１１Ａを含む略半分の部分が溝１
４Ａから露出した状態で、シール部１１が溝１４Ａに収納された状態である。
【００３２】
また、電池６の交換などの際は、この状態から、電池蓋５を逆方向へ回動させて、蓋側
係止突起１６が本体側係止突起１７から外れた状態で、電池蓋５を外装ケース２から取り
外し、電池６を電池収納部４から取り出すことができる。
【００３３】
本発明に係る電池収納部のシール装置は、上記のように、パッキンを接着によらない取
り付けとすることにより、パッキンの配置部１４への接着剤の塗布が不要となり、且つ、
組み立て時に接着剤の乾燥時間を確保するための工程も不要となる。
【００３４】
また、もし、取り付け脚部１２の横断面形状が円形の場合は、各取り付け脚部１２を順
々に挿入溝１５に嵌め込む過程で、取り付け脚部１２が挿入溝１５で擦れた時に捩れが生
じ、取り付け脚部１２相互間の円形状のシール部１１の一部に弛みや引っ張りが生じて、
このシール部１１の一部が円形状の溝１４Ａの正規位置に配置されない状態となる。しか
し、本発明では、取り付け脚部１２は非円形形状をなし、挿入溝１５の溝幅Ｔ２が、取り
付け脚部１２の非円形形状部と嵌り合う寸法をなす構成であるため、挿入溝１５に対する
取り付け脚部１２への挿入方向が定まり、このような捩れはなく、シール部１１が円形状
の溝１４Ａの正規位置に配置される状態となる。
【産業上の利用可能性】
【００３５】
本発明に係る電池収納部のシール装置は、上記実施例に示した構成に限定されず、種々
の形態のものに適用できるものであり、本発明の技術範囲において種々の形態を包含する
ものである。
【符号の説明】
【００３６】
１・・・・・電子機器
２・・・・・本体側である外装ケース
３・・・・・プリント配線基板
４・・・・・電池収納部
５・・・・・電池蓋
６・・・・・電池
７・・・・・カバー
８・・・・・プラス側板バネ
９・・・・・マイナス側板バネ
１０・・・・パッキン
１１・・・・シール部
１１Ａ・・・尖った円周面
１２・・・・取り付け脚部
１２Ａ・・・鍔部
１３・・・・フランジ
１４・・・・配置部
１４Ａ・・・円形状の溝
１５・・・・挿入溝
１６・・・・蓋側係止突起
１７・・・・本体側係止突起
【図１】
2011154877.tif 000003
【図２】
2011154877.tif 000004
【図３】
2011154877.tif 000005
【図４】
2011154877.tif 000006
【図５】
2011154877.tif 000007
【図６】
2011154877.tif 000008
【図７】
2011154877.tif 000009
【図８】
2011154877.tif 000010
【図９】
2011154877.tif 000011
【図１０】
2011154877.tif 000012
【図１１】
2011154877.tif 000013